(57)【要約】【課題】印刷媒体に対する組織支持を提供しながら、ピックアップ機構による印刷媒体の連への十分なアクセスを提供し、また、印刷媒体上包みの一部を印刷媒体上に残して、印刷媒体を迅速に配置できるようにする。【解決手段】印刷装置で用いる媒体上包み（１２０）は、第１の端部（１３０）と、第２の端部（１３０）と、前記第１、第２の端部間に配設されたミシン目（２１０）とを有し、該ミシン目は、前記媒体上包みを引き裂いて、前記第１、第２の端部を分離するように構成されている。前記媒体上包みが引き裂かれると、前記第１の端部を取り外し、収納印刷媒体を露出できる。【選択図】図２Ａ
2005029267.tif 000002
【特許請求の範囲】
【請求項１】
印刷装置で用いる媒体上包みであって、
第１の端部と、
第２の端部と、
前記第１、第２の端部間に配設されたミシン目とを有し、
該ミシン目は、前記媒体上包みを引き裂いて、前記第１、第２の端部を分離するように構成されていることを特徴とする媒体上包み。
【請求項２】
前記ミシン目は、前記媒体上包みが引き裂かれると、前記第１の端部を取り外し、収納印刷媒体を露出できるよう配設されていることを特徴とする請求項１に記載の媒体上包み。
【請求項３】
プルタブをさらに有し、
該プルタブは、前記ミシン目を裂くように構成されていることを特徴とする請求項２に記載の媒体上包み。
【請求項４】
前記プルタブは、前記媒体上包みの突出した部分を構成することを特徴とする請求項に３に記載の媒体上包み。
【請求項５】
配置表示をさらに有し、
前記配置標示は、前記印刷媒体の毛羽を示すように構成されていることを特徴とする請求項３に記載の媒体上包み。
【請求項６】
印刷媒体と、
第１、第２の端部、および前記第１、第２の端部間に配設されたミシン目を含む印刷媒体上包みとを有し、
前記ミシン目は、前記媒体上包みを引き裂いて前記第１、第２の端部を分離するように構成されていることを特徴とする印刷媒体の連。
【請求項７】
文書生成装置で用いる媒体から上包みを除去するための方法であって、
前記上包みを区分するステップと、
前記上包みのある区分を除去するステップと、および
前記媒体の一部を露出させるステップとを含む上包みの取り外し方法。
【請求項８】
画像印刷装置と、
前記画像印刷装置に印刷媒体を送るように構成された巻取りローラと、
給紙トレイとを有し、
該巻取りローラはさらに、前記給紙トレイ上の印刷媒体の連にアクセスするように構成され、前記印刷媒体の連は、印刷媒体上包みの一部に収納されることを特徴とする印刷装置。
【請求項９】
印刷媒体を印刷装置に供給するための方法であって、
印刷媒体上包みを複数の区画に分離するステップと、
前記印刷媒体上包みの一区画を取り外し、前記印刷媒体の一部を露出させるステップと、
前記印刷媒体の前記露出された部分を前記印刷装置のピックアップローラに供給するステップと
を含む印刷媒体の供給方法。
【請求項１０】
前記印刷媒体上包みの一部を前記印刷媒体と結合した状態に保つステップをさらに含み、
前記印刷媒体上包みの一部は、前記印刷媒体に対して組織支持を提供するように構成されていることを特徴とする請求項９に記載の印刷媒体の供給方法。
【発明の詳細な説明】
【技術分野】
【０００１】
本発明は印刷装置に関し、特に、印刷媒体に対する組織支持を提供しつつ、印刷媒体の配置が容易な印刷媒体の上包みに関する。
【背景技術】
【０００２】
印刷媒体上に印刷画像を生成する際の重要なステップは、印刷媒体を印刷装置に送ることである。印刷媒体を印刷装置内へ導入することを容易にするために、穿孔紙、連続送り連続（ファンフォルド）用紙、様々な収納構造等を取りこむなど、いくつかの方法が開発されている。多くの異なる型式の媒体上に画像を形成することができるようにするというのが最近生じた傾向である。これらの異なる型式の媒体としては、封筒、トランスペアレンシー、カードストック、および通常のレター用紙が挙げられる。これらの異なる型式の媒体は、連（リーム）と呼ばれる多数枚単位で個装され、使い勝手のよい量の媒体が印刷装置に供給される。
【０００３】
印刷装置を用いるためには、印刷媒体の連を取得し、その上包みを取り外し、媒体を印刷装置内のトレイまたはカセットに挿入する。このプロセスは、かなりの量の媒体をプリンタ内とユーザの手元に維持するために、通常、大抵のプリンタおよび他の文書生成装置において実施されている。媒体の連の上包みを破り取ると、多くの場合、媒体自体が乱雑になって、本来ならば取るに足らない仕事になっていたであろうものがどうしようもない混乱状態になる。
【０００４】
さらに、印刷方法および媒体の型式が絶えず増加するにつれて、生成された文書自体の外観を高品質にすることに対する需要はますます高まっている。品質に対する需要を満たすため、媒体製造業者は、媒体の連に対して頂部および底部を設ける基準を適用している。生成される画像の品質は、選択される印刷媒体の面に依存する。製造工程中は、１枚の用紙の両面は異なる特性を呈し、片面は印刷画像を受け入れるのにより適するようになっている。この特性の差別化をするものは、多くの場合、紙の毛羽と呼ばれる。連は、従来、毛羽が紙の連の底部に面するように個装され、ユーザに、文書印刷装置のトレイまたはカセットへの媒体の挿入の仕方が示される。ユーザが媒体の上包みを除去すると、媒体の異なる面は、実質的に区別がつかなくなり、ユーザがどちらの面がどちらであるのかを記憶していない場合には、最高の印刷画像品質を受け取る可能性が失われる。
【発明の開示】
【発明が解決しようとする課題】
【０００５】
したがって、印刷媒体に対する組織支持を提供しながら、ピックアップ機構による印刷媒体の連への十分なアクセスを提供するのが本発明の目的のひとつである。さらに、印刷媒体上包みの一部を印刷媒体上に残して、ユーザが、所望の面に印刷されるように印刷媒体を迅速に配置できるようにすることが本発明の他の目的である。
【課題を解決するための手段】
【０００６】
印刷装置内で用いる媒体上包みは、第１の端部、第２の端部、ならびに第１の端部と第２の端部の間に配設されたミシン目（パーフォレーション）を含み、ミシン目は、媒体上包みを引き裂いて、第１の端部および第２の端部を分離させるように構成されている。
【発明を実施するための最良の形態】
【０００７】
添付の図面は、本発明の様々な実施形態を示し、明細書の一部である。例示される実施形態は、単に、本発明の例であり、本発明の範囲を制限するものではない。
【０００８】
図面全体にわたって、同一の参照番号は、類似しているが、必ずしも同一とは限らない要素を指す。本発明は、多くの変更形態および代替形態も可能であるが、具体的な実施形態が、図面において例として示され、本明細書において詳細に説明されている。しかし、本明細書における具体的な実施形態の説明は、開示される特定の形態に本発明を限定することを意図せず、むしろ、本発明は、添付の特許請求項によって規定される本発明の精神および範囲内にあるすべての変更、等価物、および代替を包含することが理解されるべきである。
【０００９】
印刷装置に印刷媒体を装填する際のユーザの簡便性を向上させるように印刷媒体を個装するためのシステムおよび方法を以下に提示する。具体的には、印刷媒体上包みの部分的な取り外しを可能にし、それによって、印刷媒体に対してひとまとめにする支持を維持しながら印刷媒体を印刷装置のピックアップ機構に曝すようになっている印刷媒体上包みが記載される。「印刷媒体」という用語は、本明細書および添付の特許請求項の両方において、限定はされないが、封筒、カードストック、トランスペアレンシー、ラベル、用紙、または光ディスク（コンパクトディスクまたはデジタルビデオディスク）を含む、印刷装置による受け入れを容易にするための連の形態で個装することができる任意の対象として理解されるものとする。本印刷媒体個装システムは、説明を簡単にするだけのために、プリンタに投入されるように構成された紙の連に関して記載されるであろう。しかし、本印刷媒体上包みは、上記の印刷媒体とともに用いられることができ、限定はされないが、プリンタ、コピー機、スキャナ、またはファクシミリ機を含む任意の数の印刷装置に同様に取り入れられることができる。
【００１０】
以下に述べることにおいては、説明の目的で、印刷媒体上包みを完全に理解してもらうため、多数の具体的な詳細が提示される。しかし、印刷媒体上包みは、これらの具体的な詳細なしで実施することができることは当業者に明白であろう。本明細書において「１つの実施形態」または「ある実施形態」について言及しているところは、実施形態に関連して記載される特定の特徴、構造、または特性が、少なくとも１つの実施形態に含まれることを意味する。本明細書中の様々な箇所において「１つの実施形態において」という言い回しが登場するが、これは、すべて同じ実施形態を指すとは限らない。
【００１１】
ここで、図１に目を転じると、印刷媒体上包み（１２０）を用いて、媒体が乱雑にならないようにした用紙の連または他の媒体の連が図示されている。図１に示されるように、通常の印刷媒体上包み（１２０）は、継ぎ目（１００）および複数の端部（１３０）を含むことができる。継ぎ目（１００）は、製造仕様に応じて、収納印刷媒体の連の底面（１１０）を標示することができる。
【００１２】
図１に示される継ぎ目（１００）は、印刷媒体の毛羽によって連のどちらの面を上または下にすべきかを識別するのに用いることができる。印刷媒体の毛羽は、対向する印刷媒体面の表面テクスチャの差を示す。ある印刷媒体の製造中、印刷された画像が改良された外観を有するような印刷媒体の面が存在する。この面の差別化は、多くの場合、紙の毛羽を参照する。上包み（１２０）の継ぎ目（１００）を使うことにより、印刷媒体の連の上包み（１２０）は、印刷媒体の毛羽を標示することができる。あるいは、識別ラベル（２２０、図２Ａ，図２Ｂ）またはマークが、上包み（１２０）上に配置され、連のどちらの面を印刷媒体の毛羽に従って上または下に配置するべきかをユーザに知らせる。継ぎ目（１００）および／またはラベル（２２０）等の標示を使って、ユーザは、印刷媒体を印刷装置のトレイまたはカセットに挿入する際、印刷媒体の連を容易に識別し、正しく配置できる。頂面（毛羽が設けられている底面（１１０）ではない面）が、印刷プロセス中に画像またはテキストを受け取ると、より望ましい画像が、生成される。したがって、製造業者は、底面（１１０）、すなわち上包み継ぎ目（１００）に関連する面を底部とし、片面印刷ジョブの生成においては、好ましい画像の受取り面ではないと決めている。
【００１３】
従来、印刷媒体の連が印刷装置のトレイまたはカセットに挿入されると、上包み（１２０）全体は、除去された。上包み（１２０）を除去すると、印刷媒体の連の頂部および底部は、区別がつかなくなり、印刷媒体の毛羽を識別する機能が失われていた。さらに、上包み（１２０）全体を除去すると、上包み（１２０）が与える印刷媒体に対する組織支持がなくなった。上包み（１２０）の一部が原型を保てば、ユーザは、印刷媒体に対する組織支持を維持しながら、どちらの面を上にしどちらの面を下に向けるかを正確に知ることができる。
【００１４】
図２Ａは、印刷媒体上包み（１２０）を印刷装置に挿入する前に、印刷媒体上包み（１２０）の一部のみを除去するためのシステムおよび方法の例示的な実施形態を示す。図２Ａに示されるように、突出したプラスチックリボンなどのプルタブ（２００）は、上包み継ぎ目（１００）に直角に走る、溝切り（スロットカット）すなわち穿孔、継ぎ目（２１０）に沿って用いることができる。プルタブ（２００）が引っ張られると、タブは、穿孔継ぎ目（２１０）を通り抜け、印刷媒体上包み（１２０）にある程度正確な裂け目が入いる。印刷媒体上包み（１２０）が穿孔継ぎ目（２１０）に沿って裂け目を入れられると、次に、印刷媒体上包み（１２０）の一部を、簡単に除去することができる。
【００１５】
図２Ａに示される実施形態は、穿孔継ぎ目（２１０）に沿ってある程度正確な裂け目を入れるための手段としてプラスチックプルタブ（２００）を示すが、限定しないが、ひも、プラスチックリボン、または印刷媒体上包み（１２０）よりも強い紙のリボンを含む、穿孔継ぎ目（２１０）に沿って印刷媒体上包み（１２０）を破り取るのに構造的に十分な任意のタイプのプルタブを組み込んでもよい。さらに、印刷媒体上包みは、いくつかの方法に従って製造することができる。１つの例示的な実施形態によると、穿孔継ぎ目（２１０）は、印刷媒体の連を包装する前に、印刷媒体上包み（１２０）に形成することができる。印刷媒体上包み（１２０）を形成する際、印刷媒体の連を個装する前に、プルタブ（２００）は、印刷媒体上包み上に配設することができる。プルタブ（２００）は、印刷媒体上包み（１２０）に接着剤で接着されるか、または組み立て前に印刷媒体の連の周囲に配置されてもよい。一旦組み立てられると、プルタブ（２００）は、図２Ａに示されるように、ユーザが外部からプルタブ（２００）にアクセスできるように、穿孔継ぎ目（２１０）に沿って配置されてもよい。
【００１６】
図２Ｂは、印刷媒体上包み（１２０）の一部のみを除去するための本システムの他の例示的な実施形態を示す。図２Ｂに示されるように、穿孔継ぎ目（２１０）は、上包み継ぎ目（１００）に平行に配設することができる。図２Ｂに示される穿孔継ぎ目（２１０）がプルタブ（２００）によって分離されると、ある程度正確な裂け目が印刷媒体上包み（１２０）上に長さ方向で形成され、印刷媒体上包みの一部を除去することができる。図２Ｂに示される例示的な実施形態によると、印刷媒体上包み（１２０）の一部が除去されると、横長方向の印刷媒体が露出する。図２Ａおよび図２Ｂは、穿孔継ぎ目（２１０）の代替的な向きを示すが、本発明によると、様々な印刷装置の媒体取り出し方法に対応する任意の向きを採用することができる。
【００１７】
プルタブ（２００）が引っ張り出され、印刷媒体上包み（１２０）に穿孔継ぎ目（２１０）に沿って裂け目が入れられると、印刷媒体上包み（１２０）の一部が除去され、それによって、図３に示されるように、印刷媒体（３００）の連の一部が露出する。図３に示されるように、穿孔継ぎ目（２１０、図２Ａ）およびプルタブ（２００、図２Ａ）は、これらが施されると、印刷媒体上包み（１２０）の一部が除去され、文書生成装置（図示せず）のピックアップ機構によってピックアップされる十分な量「Ｘ」の印刷媒体（３００）を露出するように配置することができる。新たに露出された媒体の縁（３１０）から印刷媒体上包み（１２０）の残りの部分までの距離と等しい、露出された印刷媒体（３００）の量は、印刷装置のピックアップ機構が、印刷媒体上包み（１２０）に接触することなく、媒体一単位と接触して取りだすのに十分となし得る。ピックアップ機構と、印刷媒体上包み（１２０）とが接触すると、ピックアップ機構の機能が止まったり乱されたりする可能性がある。
【００１８】
印刷媒体上包み（１２０）と、印刷装置のピックアップ機構との接触を避けるために必要な最少限の量の印刷媒体上包み（１２０）のみを印刷媒体の連から除去することにより、ユーザの印刷媒体装填を最大限容易にすることができる。許容可能な最少限の量の印刷媒体上包み（１２０）のみを除去することによって、最大量の印刷媒体上包みが、印刷媒体の周囲に残され、印刷媒体の毛羽を標示するだけでなく、ひとまとめにする組織支持が提供される。この印刷媒体上包みによって、ユーザは、印刷媒体を乱雑にすることなく、印刷媒体を印刷装置のトレイまたはカセットに装填することができる。さらに、残りの印刷媒体の上包み（１２０）はまた、印刷媒体を除去する必要なく、ユーザに情報を表示すことができる。例として、残りの印刷媒体は、限定はされないが、そこに収納される媒体の品質、色、タイプ、輝度、製造業者、リサイクリング内容、および／またはテクスチャを含む印刷媒体の品質を示すタグまたはラベル（図示されない）を含んでもよい。タグまたはラベルは、印刷媒体上包み（１２０）上に残り、印刷装置に取り付けられた後にユーザが見ることができる。次に、タグは、画像形成プロセスを乱す必要なく、ユーザに印刷媒体情報を提供するのに役立つ可能性がある。
【００１９】
図４は、ピックアップ機構が、露出した印刷媒体（３１０）の連と接触し、印刷媒体一単位を取り出すための多くの異なる場所（４００）の１つを示す。場所（４００）は、ピックアップ機構が適切に機能するために、媒体上包み（１２０）から露出されなければならない。露出された印刷媒体（３１０）の連とどこでピックアップ機構が接触することができるかを示す場所（４００）は、単に例示的なものであり、使用される特定の印刷装置によって示されるように露出された印刷媒体（３１０）上の任意の点に位置が変わってもよい。
【００２０】
図５は、本印刷媒体上包み（１２０、図２Ａ，Ｂ）を組み込んだ印刷装置（５００）の図である。図５に示されるように、印刷媒体（５２０）は印刷装置（５００）の給紙トレイまたはカセット（５３０）に挿入することができる。印刷媒体（５２０）は、上記のように、一端では、印刷装置（５００）のピックアップ機構（５１０）に露出され、他方では、印刷媒体上包み（１２０）に収納することができる。図５は、十分な量（３００、図３）の印刷媒体上包み（１２０）が、印刷媒体の連から除去され、印刷装置（５００）のピックアップ機構（５１０）がトレイ（５３０）から１単位の印刷媒体を取り出すのに十分な量の印刷媒体を露出させる。印刷媒体のスタックが印刷装置（５００）に挿入されると、ピックアップ機構（５１０）は、スタック（５２０）から１単位の印刷媒体を取り出し、それを印刷装置（５００）の方へ引っ張り、対象となる画像を１単位の印刷媒体に付着させる。
【００２１】
印刷媒体の一部のみをピックアップ機構（５１０）に曝すことによって、印刷媒体の取り出しプロセスは妨げられない。むしろ、印刷プロセスにわたって印刷媒体上包み（１２０）の一部を印刷媒体上に維持することによって、スタック（５２０）内の収納媒体は、さらに安定となる。さらに、印刷媒体上包み（１２０）の残りの部分は、印刷媒体の全体的または部分的に消費された連の印刷装置（５００）に対する除去および挿入を容易にすることによってユーザを助ける。除去および挿入は、印刷媒体上包みの残りの部分によって容易になる。なぜなら、残りの印刷媒体上包み（１２０）は、印刷媒体を単一のスタックに組織支持して保持し、印刷媒体が乱雑にされるのを防止するからである。これにより、部分的に消費された印刷媒体の連は、文書印刷装置（５００）から除去され、印刷ジョブが必要である場合には、異なる型式の印刷媒体と一時的に交換することができる。
【００２２】
図６は、本印刷媒体上包みによって束ねられる媒体を用いて、ユーザが、印刷装置（５００、図５）において文書の生成をどのようにして開始するかを示すフローチャートである。図６に示されるように、ユーザは、印刷媒体の連から印刷媒体上包み（１２０、図２Ａ，Ｂ）の一部を除去することによって開始する（ステップ６００）。印刷媒体の連から除去された印刷媒体上包み（１２０、図２Ａ，Ｂ）の量は、穿孔継ぎ目（２１０、図２Ａ，Ｂ）の位置によって予め決定される。穿孔継ぎ目の引き裂きは、上記のようなプルタブ（２００、図２Ａ，Ｂ）、または他の任意の適切な除去具によって行うことができる。穿孔継ぎ目が引き裂かれ、印刷媒体上包み（１２０、図２Ａ，Ｂ）が２つの分離された部分になると、巻取りローラのピックアップローラに投入される印刷媒体の側に対応する印刷媒体上包みの部分は、除去されて破棄することができる。
【００２３】
印刷媒体上包み（１２０、図２Ａ，Ｂ）の一部が印刷媒体の連から除去されると、印刷媒体は、印刷装置のトレイまたはカセットに挿入することができる（ステップ６１０）。残りの印刷媒体上包み（１２０、図２Ａ，Ｂ）は、印刷装置（５００、図５）のトレイまたはカセットに挿入されている間、印刷媒体の連に対して組織支持を提供する。印刷媒体は、継ぎ目（１００、図２）を有する印刷媒体上包みの面を下にしてトレイまたはカセットに配置することによって（このようにすることによって、上記の毛羽条件に合致するのであれば）トレイまたはカセットに挿入することができる。次に、印刷装置のトレイまたはカセットは、印刷装置に固定され、文書生成プロセスが使用可能になる。本実施形態は、継ぎ目が印刷媒体の好ましい側にアクセスすることを必要とする印刷装置（５００、図５）に関連して記載されるが、印刷媒体の正しい向きは、印刷装置（５００、図５）の構成に依存し、それに応じて変わる場合がある。
【００２４】
トレイまたはカセットが定位置に配置されると、ピックアップ機構（５１０、図５）は、所定量の印刷媒体と接触し、それをトレイまたはカセットから取り出すことができる（ステップ６２０）。図５に示されるように、ピックアップ機構（５１０）は残りの印刷媒体上包み（１２０）と接触せずに露出された印刷媒体（５２０）と接触する。これにより、印刷媒体上包みは、トレイまたはカセット（５３０）に留まり、媒体ピッキングプロセスを妨げずに、印刷媒体に対する支持を提供することができる。
【００２５】
ピックアップ機構（５１０）が印刷媒体（５２０）の１単位をトレイまたはカセット（５３０）から取り出すと、次に、ピックアップ機構は、印刷媒体を印刷装置に供給し、そこで、所望の画像は、印刷媒体に固定されて所望の画像を生成することができる（ステップ６３０、図６）。トレイまたはカセットに収納印刷媒体が尽きると、次に、空の印刷媒体上包み（１２０）は、トレイまたはカセット（５３０）から除去され、印刷媒体の新しい連およびその上包みが代わって配置できる。
【００２６】
本印刷媒体上包みの他の実施形態は、図７に示される。図７に示されるように、タブ（７００）は、穿孔継ぎ目（２１０）の真下の印刷媒体上包み（１２０）の一体的な部分として形成することができる。タブ（７００）は、印刷媒体上包み（１２０）と同じ材料であるか、または印刷媒体上包みの製造中に形成される強化タブであってもよい。図７に示される他の実施形態によると、ユーザが印刷媒体上包み（１２０）の一部を取り外そうとすると、一体的なタブ（７００）は引っ張られ、印刷媒体上包みは穿孔継ぎ目（２１０）に沿って裂ける。この裂け目により、印刷媒体上包みの一部は効果的に分離され、ピックアップ機構（５１０、図５）は、そこに収納されている印刷媒体にアクセスすることができる。
【００２７】
図８は、本印刷媒体上包み（１２０）のさらに他の代替実施形態を示す。図８に示されるように、タブ（７００、図７）もプルタブ（２００、図２Ａ，Ｂ）も印刷媒体上包みとともに形成されない。図８に示される実施形態によると、穿孔継ぎ目（２１０）は、印刷媒体上包み（１２０）上に配設され、印刷媒体上包み（１２０）の所定の部分の除去が簡単になる。図８に示される他の実施形態によると、ユーザは、手または他の任意の物体を用いて、印刷媒体上包み（１２０）を穿孔継ぎ目（２１０）に沿って裂くかまたは破って、印刷媒体の一部を露出させる。印刷媒体上包み（１２０）が除去されて、印刷媒体がピックアップ機構（５１０、図５）に充分露出すると、印刷媒体の連は、上記のように、印刷装置に挿入される。
【００２８】
図９は、付勢装置（９１０）上に配置された媒体トレイ（９２０）を有する大容量入力トレイ（９００）を含む印刷装置（５００）を示す他の実施形態を示す。図９に示される付勢装置（９１０）には、限定はしないが、ばねが含まれ、並進力を媒体トレイ（９２０）に与えるように構成された任意の付勢装置が含まれる。図９に示されるように、印刷媒体（５２０）の一部を露出するように印刷媒体上包み（１２０）の一部が除去された印刷媒体の多数の連は、媒体トレイ（９２０）上に積層することができる。ピックアップローラ（５１０）が露出された印刷媒体（５２０）を取り出すと、付勢装置（９１０）は、媒体トレイ（９２０）および実質的には露出した印刷媒体を、ピックアップローラ（５１０）に向けて並進させ、ピックアップローラと露出された印刷媒体（５２０）間に必要な接触圧力を維持する。露出された印刷媒体（５２０）がすべて印刷媒体上包み（１２０）から取り出されると、空の印刷媒体上包み（１２０）は、上方に力を加えられ、媒体トレイ（９２０）および消費されていない印刷媒体の連によって圧縮することができる。本実施形態によると、上記の理由により、印刷媒体上に印刷媒体上包みの一部を維持しながら、印刷媒体の多数の連を単一印刷装置に装填することができる。
【００２９】
結論として、本印刷媒体上包みは、印刷媒体に対する組織支持を同時に提供しながら、ピックアップ機構による印刷媒体の連への十分なアクセスを提供する。さらに、印刷媒体上包みの一部を印刷媒体上に残すことを可能にすることによって、ユーザは、所望の画像が印刷媒体の毛羽に従って最良の表面に印刷されるように、印刷媒体を迅速に配置することができる。
【００３０】
上記の記載は、単に、本発明の実施形態を例示および説明するために提示されている。この記載は網羅的ではなく、または本発明を開示されている通りの形態に限定することを意図しない。多くの変更および変形は、上記の教示を鑑みて可能である。本発明の範囲は、請求項の範囲によって規定されることを意図する。
【図面の簡単な説明】
【００３１】
【図１】１つの例示的な実施形態による印刷媒体の連を示す図である。
【図２Ａ】１つの例示的な実施形態による、引き裂き部を含む印刷媒体の連の斜視図である。
【図２Ｂ】１つの例示的な実施形態による横長引き裂き部を含む印刷媒体の連の斜視図である。
【図３】１つの例示的な実施形態による媒体の露出部分を示す、媒体の連の斜視図である。
【図４】１つの例示的な実施形態による、文書印刷装置のピックアップ機構が印刷媒体と接触する可能性のある位置を示す印刷媒体の連の斜視図である。
【図５】１つの例示的な実施形態による印刷装置に投入された印刷媒体の概略図である。
【図６】１つの例示的な実施形態による印刷装置において部分的に上包みを有する印刷媒体を用いるための方法を示すフローチャートである。
【図７】他の実施形態を示す印刷媒体の連の斜視図である。
【図８】さらに他の実施形態を示す印刷媒体の連の斜視図である。
【図９】１つの例示的な実施形態による複数の印刷媒体の連を取り入れる印刷装置の断面図である。
【符号の説明】
【００３２】
１００  （媒体上包み）継ぎ目
１１０  底面
１２０  印刷媒体上包み
１３０  端部
２００  プルタブ
２１０  穿孔継ぎ目（ミシン目）
２２０  ラベル（標示）
３１０、５２０  印刷媒体
４００  場所
５００  印刷装置
５１０  ピックアップ機構
５３０  トレイ、カセット
７００  タブ
９００  大容量入力トレイ
９１０  付勢装置
９２０  媒体トレイ
【図１】
2005029267.tif 000003
【図２Ａ】
2005029267.tif 000004
【図２Ｂ】
2005029267.tif 000005
【図３】
2005029267.tif 000006
【図４】
2005029267.tif 000007
【図５】
2005029267.tif 000008
【図６】
2005029267.tif 000009
【図７】
2005029267.tif 000010
【図８】
2005029267.tif 000011
【図９】
2005029267.tif 000012